(57)【要約】【課題】複数のディスク保持手段が収納される装置において、ディスクトレイの間隙を十分且つ確実に確保する。【解決手段】  複数のディスクトレイ３と、複数のディスクトレイ３が互いに平行な状態で積層して収納されるトレイ収納体４と、ディスクトレイ３が搬送されるように設けられるトレイガイド部３２と、トレイ収納体４にディスクトレイ３が収納される収納位置と光ディスク２の再生が行われる再生位置とに亘ってトレイガイド部３２に従いディスクトレイ３を搬送する搬送手段とを備え、ディスクトレイ３は、収納位置から再生位置まで搬送される際、ガイド手段により収納位置から再生位置まで緩やかに下降するように支持される。また、ディスクトレイ３には、上下に隣り合うディスクトレイ３間の間隙を確保するため第２の支持部４３に当接される間隙保障突起１７が設けられている。更に、第２の支持部４３には、ディスクトレイ３に保持された光ディスク３の収納位置を規制するディスク規制部４４が設けられている。【選択図】  図４
2006139914.tif 000002
【特許請求の範囲】
【請求項１】
ディスクが保持される複数のディスク保持手段と、
上記複数のディスク保持手段が互いに平行な状態で積層して収納される収納手段と、
上記収納手段から上記ディスク保持手段が上記積層方向と直交して搬送されるように上記収納手段に設けられるガイド手段と、
上記収納手段に上記ディスク保持手段が収納される収納位置とディスクの記録及び／又は再生が行われる記録再生位置とに亘って上記ガイド手段に従い上記ディスク保持手段を搬送する搬送手段とを備え、
上記ガイド手段は、上記ディスク保持手段の下面側を支持する第１の支持部と、
上記ディスク保持手段の上面側を支持する第２の支持部とを有し、
上記第１の支持部は、上記ディスク保持手段を、上記収納位置から上記記録再生位置まで搬送される際、上記ガイド手段により上記収納位置から上記記録再生位置まで緩やかに下降するように支持し、
上記ディスク保持手段には、上下に隣り合うディスク保持手段間の間隙を確保するため上記第２の支持部に当接される第１の間隙保障手段が設けられ、
上記第２の支持部には、上記ディスク保持手段に保持されたディスクの収納位置を規制するディスク規制部が設けられることを特徴とするディスク記録及び／又は再生装置。
【請求項２】
上記記録再生位置の上記ディスク保持手段の後端側上面と上記ディスク保持手段の上側であって上記収納位置にあるディスク保持手段の前端側下面にそれぞれ設けられた突出部が当接され、これらディスク保持手段間の間隙を確保する第２の間隙保障手段が設けられることを特徴とする請求項１記載のディスク記録及び／又は再生装置。
【請求項３】
上記収納位置にあるディスク保持手段の前端側下面に設けられた突出部は、搬送途中のディスク保持手段に保持されたディスクを規制することを特徴とする請求項２記載のディスク記録及び／又は再生装置。
【発明の詳細な説明】
【技術分野】
【０００１】
発明は、複数の記録媒体であるディスクを保持するディスク保持手段が積層して収納される例えば車載用として用いられるのディスク記録及び／又は再生装置に関する。
【背景技術】
【０００２】
従来より、光ビームを用いて音楽信号や地図データ、コンピュータで処理される情報データ等の情報信号の記録及び／又は再生を可能とする光ディスクがある。この光ディスクの記録及び／又は再生装置の中には、複数枚の光ディスクを収納装置に収納し、適宜光ディスクを記録及び／又は再生が行われる記録再生部に引き出し、光ディスクの記録及び／又は再生を行うものがある。このような記録及び／又は再生装置は、例えば車載用の記録及び／又は再生装置に用いられている。
【０００３】
車載用の記録及び／又は再生装置は、一般に、操縦席近傍の中央コンソールに配設される操作装置を用いて操作される。この記録及び／又は再生装置は、車後部のトランクに収納された複数枚の光ディスクが収納される装置本体に光ディスクの記録及び／又は再生機構が備えられている。この記録及び／又は再生装置は、操作装置が操作されることで、装置内の利用者所望の光ディスクが選択され、記録及び／又は再生が行われることになる。この記録及び／又は再生装置は、中央コンソールの操作装置を用いて、収納装置内の光ディスクを選択し再生することで、手作業によるディスク交換を不要とし、操作性の向上を図っている。
【０００４】
このような記録及び／又は再生装置において、光ディスクは、略浅皿上のディスク収納部が設けられたディスクトレイに保持されてディスクトレイ収納装置に収納されている。すなわち、ディスクトレイ収納装置には、複数枚のディスクトレイが積層して収納されている。具体的には、記録及び／又は再生装置には、相対向する側壁に、収納されるディスクトレイの枚数に対応してガイド部が設けられている。ディスクトレイは、このガイド部に支持されて、装置の内外に亘ってスライド自在に収納される。ディスクトレイは、光ディスクの再生を行う際、装置に備えられた搬送機構によりディスクトレイが収納される収納位置から記録再生位置にまで引き出される。そして、光ディスクは、ディスク駆動機構により、光ディスクを回転操作できるように僅かにディスクトレイより持ち上げられクランプされる。
【０００５】
このような記録及び／又は再生装置は、装置内にディスクトレイが積層して収納される。そのため、ディスクトレイがその上側にあるディスクトレイの下面と接触しないように間隙を確実に確保する必要がある。
【０００６】
また、記録及び／又は再生装置の中には、小型化を図るために、収納位置にあるディスクトレイと、記録再生位置にあるディスクトレイとが一部重なって位置されるものがある。このような記録及び／又は再生装置では、記録再生位置にあるディスクトレイと収納位置にあるディスクトレイとの間隔を確保する必要がある。この間隔は、光ディスクの記録再生時に、記録再生位置にあるディスクトレイの上側に位置する収納位置にあるディスクトレイの下面にクランプされた光ディスクが接触しない程度必要とされる。
【０００７】
特に、車載用の記録及び／又は再生装置の場合には、自動車の走行時における大きな振動が加わることになる。そのため、ディスクトレイ間の間隔は、確実に確保する必要がある。更に、収納された光ディスクが振動によって収納位置から飛び出さないようにする必要もある。
【０００８】
【特許文献１】特開平０６−１１１５１３号公報
【発明の開示】
【発明が解決しようとする課題】
【０００９】
そこで、本発明は、複数のディスク保持手段が収納される装置において、ディスクトレイの間隙を十分且つ確実に確保するとともに、ディスク保持手段に保持されたディスクの収納位置を規制することができるディスク記録及び／又は再生装置を提供することを目的とする。
【課題を解決するための手段】
【００１０】
本発明に係るディスク記録及び／又は再生装置は、上述のような課題を解決するため、ディスクが保持される複数のディスク保持手段と、上記複数のディスク保持手段が互いに平行な状態で積層して収納される収納手段と、上記収納手段から上記ディスク保持手段が上記積層方向と直交して搬送されるように上記収納手段に設けられるガイド手段と、上記収納手段に上記ディスク保持手段が収納される収納位置とディスクの記録及び／又は再生が行われる記録再生位置とに亘って上記ガイド手段に従い上記ディスク保持手段を搬送する搬送手段とを備える。上記ガイド手段は、上記ディスク保持手段の下面側を支持する第１の支持部と、上記ディスク保持手段の上面側を支持する第２の支持部とを有する。上記第１の支持部は、上記ディスク保持手段を、上記収納位置から上記記録再生位置まで搬送される際、上記ガイド手段により上記収納位置から上記記録再生位置まで緩やかに下降するように支持する。また、上記ディスク保持手段には、上下に隣り合うディスク保持手段間の間隙を確保するため上記第２の支持部に当接される第１の間隙保障手段が設けられている。更に、上記第２の支持部には、上記ディスク保持手段に保持されたディスクの収納位置を規制するディスク規制部が設けられている。
【発明の効果】
【００１１】
本発明によれば、第１の支持部は、ディスク保持手段を収納位置から記録再生位置まで搬送する際、上記ガイド手段により上記収納位置から上記記録再生位置まで緩やかに下降するように支持することで、収納位置にあるディスク保持手段と記録再生位置にあるディスク保持手段との間隙が十分に確保することができる。
【００１２】
また、ディスク保持手段には、上下に隣り合うディスク保持手段間の間隙を確保するため第２の支持部に当接される第１の間隙保障手段が設けられているので、ディスク保持手段のガイドを行う第２の支持部との間隙を確保することができる。
【００１３】
第２の支持部には、ディスク保持手段に保持されたディスクの収納位置を規制するディスク規制部が設けられるので、収納位置にあるディスク保持手段に保持されたディスクの収納位置を規制することができる。
【発明を実施するための最良の形態】
【００１４】
以下、発明の実施の形態では、本発明が適用された車載用の光ディスク再生装置について図面を用いて詳細に説明する。
【００１５】
このディスク再生装置は、複数のディスクトレイが収納されるディスクトレイ収納装置を備える。そして、このディスクトレイ収納装置は、光ディスクの交換を行うためディスク再生装置から取り外された非装填時に、ディスクトレイが装置の内外に亘って移動操作され、光ディスクの交換作業が行われる。また、ディスクトレイ収納装置は、ディスク再生装置の所定の収納部に収納されると、ディスク再生装置の光ディスクの再生を行う再生位置へと、搬送機構により引き出し操作が可能な状態にされる。
【００１６】
〔ディスクトレイの説明〕
このディスク再生装置に用いられるディスクトレイ収納装置１は、図１に示すように、光ディスク２を保持するディスクトレイ３と、このディスクトレイが１０枚積層して収納されるトレイ収納体４とを備える。
【００１７】
ディスクトレイ３は、図２及び図３に示すように、ポリカーボネート樹脂等の合成樹脂材料よりなり、全体として矩形薄板状を呈して形成される。ディスクトレイ３は、図２に示すように、一方の主面のほぼ全体に凹状のディスク収納凹部１１が形成される。ディスク収納凹部１１は、載置される光ディスク２を保持できるように光ディスク２の直径よりやや大きい直径の円形をした浅皿状に形成される。
【００１８】
このディスク収納凹部１１には、さらに、中心を一致させてディスク収納凹部１１より小径の補助ディスク収納凹部１２が形成される。ディスク収納凹部１１には、直径が１２ｃｍの光ディスクが載置され、補助ディスク収納凹部１２には、直径が８ｃｍの光ディスクが載置される。ディスク収納凹部１１には、中央からディスクトレイ収納装置１の内方に位置する後端に亘って底面開口部１３が形成されている。底面開口部１３の内、ディスクトレイ３の中央部に設けられる領域は、ディスクテーブルが進入するディスクテーブル用開口部１３ａとしてとして用いられ、ディスクトレイ３の後端側に亘って設けられる領域は、光ピックアップが臨む光ピックアップ用開口部１３ｂとして用いられる。また、補助ディスク収納凹部１２には、ディスクトレイ３が記録再生部に移送された際、位置決め機構の逃げとなる逃げ孔１４が形成されている。
【００１９】
ディスクトレイ３には、ディスクトレイ３の移動方向の両側縁に、一対のガイドレール部１５が形成されている。このガイドレール部１５には、ディスク収納凹部１１の後端側に、ディスクトレイ３のトレイ収納体４からの脱落を防止するための脱落防止部１６ａ、１６ｂが形成されている。この脱落防止部１６ａ、１６ｂは、爪状に形成され、詳細は後述するがトレイ収納体４内に設けられたディスクトレイ３のガイド部の係合部に係合される。また、ガイドレール部１５には、ディスクトレイ３の後端側に、トレイ収納体４内に設けられたディスクトレイ３のガイドを行うガイド部との間隙を確保するための間隙保障突起１７が設けられている。
【００２０】
このようなディスクトレイ３には、ディスク収納凹部１１が設けられないトレイ周縁の領域が第１の肉厚部２６とされ、ディスク収納凹部１１が設けられる領域が第１の肉厚部２６より肉薄に形成された第２の肉厚部２７とされ、補助ディスク収納凹部１２が設けられる領域が第２の肉厚部２７よりさらに肉薄に形成された第３の肉厚部２８とされる。また、ディスクトレイ３には、ガイドレール部１５が設けられる領域が第１の肉厚部２６より肉薄に形成された第４の肉厚部２９とされる。ディスクトレイ３は、第１の肉厚部２６、第４の肉厚部２９、第２の肉厚部２７、第３の肉厚部２８の順で厚さが薄くされている。したがって、ディスクトレイ３は、ディスク収納凹部１１及び補助ディスク収納凹部１２が肉薄に形成されると共に、底面開口部１３が設けられていることから、弾性変形し易く形成されている。ディスクトレイ３は、この弾性変形を利用することで、トレイ収納体４からの取り外し操作が容易となる。
【００２１】
また、ディスクトレイ３には、その引き出し方向の前端の一方に偏倚して引き出し操作部１８が設けられている。引き出し操作部１８は、つまみ状に形成される。引き出し操作部１８は、トレイ収納体４からディスクトレイ３の挿脱操作を行う際、指で摘まれ、ディスクトレイ３をディスクトレイ３が収納状態にある収納位置から光ディスク２の交換操作が行われると共にディスクトレイ３の取り外し操作が行われる取り外し操作位置とに亘って移動させる他、ディスク再生装置に取り付けられた際、搬送機構に係合されディスクトレイ３をトレイ収納体４とディスク再生装置の再生部とに亘って移動させる。また、引き出し操作部１８には、ディスクトレイ３の先端側に切欠部１９が形成されている。この切欠部１９には、ディスクトレイ３がディスク再生装置の再生部内に移動された際、ディスクトレイ３の再生部内での位置規制を行うための位置規制突起が突き当てられる。
【００２２】
ディスクトレイ３の後端には、一方の側にディスクトレイ３の内方に切り欠かれて係止部２１が設けられている。この係止部２１には、トレイ収納体４の内方の奥壁に設けられた弾性片が係合される。すなわち、ディスクトレイ３は、係止部２１にトレイ収納体４側の弾性片が係合されることにより、トレイ収納体４の収納位置に保持される。ディスクトレイ３の後端の他方の側には、切欠部２２が設けられている。この切欠部２２は、ディスク収納凹部１１にまで及んで設けられている。切欠部２２には、トレイ収納体４の奥壁に設けられたウレタン等の弾性材料よりなる緩衝部が進入し、ディスクトレイ３及びディスク収納凹部１１に載置された光ディスク２を衝撃から保護する。
【００２３】
ディスクトレイ３の後端側の両側には、ディスク収納凹部１１が設けられない肉厚の領域に、第１の突出部２３が膨出して形成されている。第１の突出部２３は、ディスクトレイ３他方の面側にある第２の突出部２４に突き当てられディスクトレイ３間の間隙を確保する。
【００２４】
また、ディスクトレイ３の他方の面側には、図３に示すように、その前端両側に、第２の突出部２４が設けられている。第２の突出部２４は、その主面に、凹部が形成され第１の突出部２３との位置合わせが行いやすくされている。このような第１の突出部２３と第２の突出部２４とは、互いに突き当てられることでディスク再生装置の再生部内の再生位置にあるディスクトレイ３とトレイ収納体４内の収納位置にあるディスクトレイ３との間隙を確保する。
【００２５】
〔トレイ収納体の説明〕
次に、上述したディスクトレイ３が収納されるトレイ収納体４について説明する。トレイ収納体４は、図１及び図４に示すように、トレイ収納体４を構成する合成樹脂材料よりなる外筐体３１と、ディスクトレイ３の移動方向に平行な外筐体３１の第１及び第２の側面３６、３７の内面に設けられるトレイガイド部３２とを備える。外筐体３１は、ディスクトレイ３が積層して１０枚収納できるに十分な大きさをした矩形体形をして形成される。外筐体３１は、その天井となる主面に、ディスク再生装置への挿入方向を表示する挿入方向表示部３３が設けられている。挿入方向表示部３３は、具体的には、挿入方向を示す三角印、矢印等で構成される。また、この外筐体３１の主面には、ディスク再生装置からのディスクトレイ収納装置１の挿脱操作の際の操作性の向上を図るための操作部３４が設けられている。この操作部３４は、ディスクトレイ収納装置１の取り出す方向の側縁に、凹凸を以て形成される。利用者は、この操作部３３を把持してディスク再生装置からの挿脱操作を行う。
【００２６】
トレイ収納体４には、ディスクトレイ３の挿脱方向にディスクトレイ３の挿脱用のトレイ挿脱用開口部３５が設けられている。このトレイ挿脱用開口部３５は、トレイ収納体４にディスクトレイ３が収納された状態で、上記ディスクトレイ３の引き出し操作部１８とは反対側の第２の側面３７が、引き出し操作部１８側の第１の側面３６より、ディスクトレイ３の引き出し方向に突出して設けられている。すなわち、トレイ挿脱用開口部３５には、引き出し操作部１８が外方に臨まされる引き出し操作用切欠部３８が構成されている。この引き出し操作用切欠部３８は、トレイ収納体４の天井面、第１の側壁及び底面に亘ってトレイ挿脱用開口部３５側の側縁が切り欠かれて形成されている。このように引き出し操作用切欠部３８は、ディスクトレイ３の引き出し操作部１８を外方に臨ませることで、ディスクトレイ３の引き出し操作を容易にさせる。
【００２７】
また、外筐体３１のトレイ挿脱用開口部３５と対向する側の奥壁には、図４に示すように、上述した係止部２１に係合される弾性片３９が収納されるディスクトレイ３の枚数に対応して設けられる。また、この奥壁には、切欠部２２に突き当てられ、ディスクトレイ３及びディスクトレイ３に保持された光ディスク２を保護する緩衝部４０が設けられる。
【００２８】
外筐体３１には、図４に示すように、ディスクトレイ３の移動方向と同方向の外筐体３１の相対向する側壁に、ディスクトレイ３のガイドを行うガイド片が１１枚平行に並んで設けられている。そして、ディスクトレイ３のガイドレール部１５が嵌合されディスクトレイ３の移動をガイドするトレイガイド部３２は、上下隣り合う２枚のガイド片を組として構成される。すなわち、トレイガイド部３２は、隣り合う２枚のガイド片とガイド片が設けられる第１及び第２の側壁３６、３７とにより凹状に構成される。そして、トレイガイド部３２は、トレイ収納体４に収納されるディスクトレイ３の枚数に対応して１０段設けられる。トレイガイド部３２は、第１及び第２の側壁３６、３７の全面に設けられるのではなく、ディスクトレイ３を支持するに必要な分の長さを有して設けられている。
【００２９】
このトレイガイド部３２は、ディスクトレイ３のガイドレール部１５の下面側を支持する第１の支持部４２とディスクトレイ３のガイドレール部１５の上面側を支持する第２の支持部４３とからなる。また、第２の支持部４３には、ディスク収納凹部１１に載置される光ディスク２の収納位置を規制するディスク規制部４４が設けられている。第１の支持部４２と第２の支持部４３との間隔は、ディスクトレイ３のガイドレール部１５の厚さ、すなわち、第４の肉厚部２９と間隙保障突起１７の分を加えた寸法とされる。このように第１の支持部４２と第２の支持部４３より構成される凹部は、図５に示すように、ディスクトレイ３のガイドレール部１５が嵌合されると、第２の支持部４３は、間隙保障突起１７と当接された状態にされる。また、ディスクトレイ３は、第１の支持部４２と第２の支持部４３より構成される凹部の側面よりトレイガイド部３２が摺動するのに必要なクリアランス４１を介して支持される。
【００３０】
ディスク規制部４４は、図４及び図５に示すように、第２の支持部４３の上側側縁から形成され、第２の支持部４３を薄肉にして段差を有するように形成される。すなわち、第１の支持部４２とディスク規制部４４との間隔は、第１の支持部４２と第２の支持部４３との間隔より大きくされて、第１の肉厚部２６よりやや大きい寸法とされる。したがって、ディスク規制部４４は、第１の肉厚部２６及びディスクトレイ３のディスク収納凹部１１に載置された光ディスク２の周縁の上方に位置されることになり、ディスクトレイ３が収納位置にある際の光ディスク２の収納位置を規制する。
【００３１】
第１の支持部４２及びディスク規制部４４は、トレイ挿脱用開口部３５側に向かって緩やかに下降するように徐々に薄肉になるように形成される。したがって、トレイガイド部３２は、第１の支持部４２と第２の支持部４３の間隙が外筐体３１の内方側に比べトレイ挿脱用開口部３５側の方が大きくなるように形成される。よって、トレイ挿脱用開口部３５近傍では、間隙保障突起１７と第２の支持部４３とが当接されない状態にされる。トレイガイド部３２は、このような構成にすることによりトレイ収納体４の薄型化を図ることができる。すなわち、第１の支持部４２と第２の支持部４３との間隔は、ガイドレール部１５の厚さ、第４の肉厚部２８に合わせて設ければよい。よって、仮に、ガイドレール部１５が第１の肉厚部２６と同じ肉厚である場合より、第１の支持部４２と第２の支持部４３との間隔を小さくできる。これにより、トレイ収納体４の薄型化が図られる。
【００３２】
また、第２の側壁３７のトレイガイド部３２には、トレイガイド部３２の中程に、上記脱落防止部１６ａと係合される凸状の係合部４６ａが設けられている。また、第１の側壁３６のトレイガイド部３２には、トレイ挿脱用開口部３５近傍に上記脱落防止部１６ｂと係合される凸状の係合部４６ｂが設けられている。これら係合部４６ａ、４６ｂは、トレイ収納体４よりディスクトレイ３が引き出された際、脱落防止部１６ａ、１６ｂと係合し、ディスクトレイ３がトレイ収納体４より抜け落ちることを防止する。また、係合部４６ａは、トレイガイド部３２のトレイ挿脱用開口部３５近傍に設けられる係合部４６ｂよりトレイガイド部３２の中程に設けられることで、詳細は後述するが一方向からディスクトレイ３のトレイ収納体４からの取り外しを容易とさせる。
【００３３】
なお、第１の側壁３６又は第２の側壁３７のトレイ挿脱用開口部３５近傍には、トレイガイド部３２の番地を記す番地表示部を設けても良い。これにより、利用者は、所望する番地に所望の光ディスク２が載置されたディスクトレイ３を取り付けることができる。
【００３４】
ディスクトレイ３は、トレイ収納体４に収納された状態では、上記図１に示す状態にされる。すなわち、トレイ収納体４に完全に収納された収納位置にあるディスクトレイ３、ディスク収納凹部１１が外筐体３１内に収納された状態となり、外筐体３１の引き出し操作用切欠部３８よりディスク収納凹部１１の引き出し操作部１８が外方に臨まされた状態にされる。ディスクトレイ３は、引き出し操作部１８が引き出し操作用切欠部３８より外方に臨まされることにより、トレイ収納体４からの引き出し操作が容易にされる。
【００３５】
また、ディスクトレイ３は、上記図１に示すように、ディスク再生装置又は指による引き出し操作によりガイドレール部１５に従い外方に向かって引き出し操作されると、脱落防止部１６ａ、１６ｂがガイドレール部１５の係合部４６ａ、４６ｂに係合されるまで移動される。このディスクトレイ３の位置は、これが最も外方にまで引き出された位置であり、ディスク再生装置に取り付けられた際、光ディスク２の再生位置に対応する位置であり、また、トレイ収納体４より手で取り外し操作される取り外し操作位置とされる。この状態にあるディスクトレイ３ｂは、底面開口部１３を完全に外方に臨まされた状態にある。
【００３６】
このようなトレイ収納体４に収納されたディスクトレイ３は、トレイ収納体４に完全に収納された収納位置から底面開口部１３を完全に外方に臨まされたディスクトレイ３の取り外し操作位置（後述する光ディスク２の再生位置）に亘ってトレイガイド部３２に従って移動する。
【００３７】
ディスクトレイ３の移動状態について、図６を用い説明する。この図６は、図５に示すＡ−Ａ断面図であり、ガイドレール部１５、トレイガイド部３２の第１及び第２の支持部４２、４３の断面図である。
【００３８】
図６中ディスクトレイ３ａは、上記収納位置にあるディスクトレイである。収納位置にあるディスクトレイ３ａは、その前端縁が、トレイ挿脱用開口部３５の端面と同じ位置にある。そして、ディスクトレイ３ａの後端縁は、間隙保障突起１７が外筐体３１の内方のトレイガイド部３２が設けられない位置にある。そして、ディスクトレイ３ａは、引き出し方向に移動されると、ディスクトレイ３ｂの状態にされる。
【００３９】
ディスクトレイ３ｂは、間隙保障突起１７がトレイガイド部３２を構成する第２の支持部４３に当接される。これにより、ディスクトレイ３ｂの上側に収納されるディスクトレイ３との間隙が確保されることになる。
【００４０】
そして、ディスクトレイ３ｂは、さらに、取り外し操作位置にまで移動されると、ディスクトレイ３ｃの状態にされる。すなわち、第１の支持部４２は、上述したとおり、トレイ挿脱用開口部３５側に向かって緩やかに下降するように徐々に薄肉になるように形成される。ディスクトレイ３ｃは、間隙保障突起１７がこの肉薄に形成されたトレイ挿脱用開口部３５側に位置する状態にまで移動される。すると、ディスクトレイ３ｃは、第１の支持部４２に従って下降することになる。この状態において、間隙保障突起１７と第２の支持部４３との間にはクリアランスが構成されることになる。これにより、さらに、ディスクトレイ３ｃとその上側に収納されるディスクトレイ３との間隔が広げられることになり、ディスクトレイ３ｃに載置された光ディスク２の交換作業が容易にされる。すなわち、ディスクトレイ３ｃは、上記図５に示すように、取り外し操作位置においても、ディスク収納凹部１１が外筐体３１から完全に外方に臨まされていない状態までしか移動しない。しかしながら、ディスクトレイ３ｃは、上側のディスクトレイ３との間隔が大きくなることで、光ディスク２の交換作業が容易になる。
【００４１】
また、ディスクトレイ３は、図７に示すように、収納位置にあるディスクトレイ３ａの前端部と再生位置にあるディスクトレイ３ｃの後端部とが重なり合った状態とされる。ディスクトレイ３ｃに保持された光ディスク２は、その周縁がディスクトレイ３ａの前端部に重なり合った状態で、回転操作される。そのため、ディスクトレイ収納装置１では、第１の突出部２３と第２の突出部２４とにより、再生位置（取り外し操作位置）と収納位置にあるディスクトレイ３との間隙が確保される。図７に示すように、収納位置にあるディスクトレイ３ａの裏側の第２の突出部２４と、ディスクトレイ３ａの下側に位置すると共に再生位置（取り外し操作位置）にあるディスクトレイ３ｃの表面側にある第１の突出部２３が突き合わされる。これにより、ディスクトレイ３ａとディスクトレイ３ｃとの間隙は確保され、光ディスク２の交換作業が容易になる。加えて、再生位置において、ディスクトレイ３ａとディスクトレイ３ｃとの間隙は、確保されることになり、再生位置にあるディスクトレイ３ｃに保持された光ディスク２とその上側にあるディスクトレイ３ａとの間隙も確保されることになる。したがって、光ディスク２の再生時において、光ディスク２は、面ぶれによっても上側に位置するディスクトレイ３ａに接触することが防止される。
【００４２】
なお、上述の通りディスクトレイ３は、ディスク収納凹部１１が外筐体３１から完全に外方に臨まされていない状態までしか移動しない。この状態は、ディスク再生装置５０にディスクトレイ収納装置１が装填された場合、再生位置になる。光ディスク２は、ディスクトレイ３が再生位置において、ディスク駆動再生機構によりディスクトレイ３よりやや持ち上げられクランプされることになる。第１の突出部２３と第２の突出部２４が設けられること及び第１の支持部４２が下降して設けられることにより、再生位置での収納位置にあるディスクトレイ３との間隔を確保することができる。
【００４３】
また、図７に示すディスクトレイ３ａの第２の突出部２４は、その下側に位置すると共に再生位置にあるディスクトレイ３ｃに載置された光ディスク２の載置位置の規制を行う。すなわち、ディスクトレイ３ａの第２の突出部２４は、図７及び図８に示すように、再生位置にある光ディスク２のトレイ収納体４の内方側の周縁上方に位置されることになる。これにより、収納位置から再生位置に移動するディスクトレイ３に載置された光ディスク２は、初めトレイガイド部３２のディスク規制部４４により載置位置が規制され、その後、ディスクトレイ３が再生位置に至るまで第２の突出部２４によりディスクトレイ３のディスク収納凹部１１に載置された光ディスク２の載置位置が規制されることになる。特に、第２の突出部２４は、ディスクトレイ３が収納位置から再生位置への移動中にディスク収納凹部１１からの脱落を防止する。
【００４４】
〔ディスクトレイの取り外し操作及び取付け操作の説明〕
次に、ディスクトレイ３のトレイ収納体４からの取り外し操作及び取付け操作について図９を用いて説明する。図９は、ディスクトレイ３が取り外し操作位置にある図である。
【００４５】
ディスクトレイ３は、上述したとおり、引き出し操作部１８に指又はディスクトレイ３を再生部に搬送する搬送機構が係合される。この際、指又は搬送機構は、ガイドレール部１５側から引き出し操作部１８に係合される。そして、ディスクトレイ３は、指又は搬送機構により図９中矢印Ｘ3方向に移動され、トレイ収納体４より引き出され、ディスクトレイ３の脱落防止部１６ａ、１６ｂがトレイガイド部３２の係合部４６ａ、４６ｂに係合され止まるまで引き出される。この時、ディスクトレイ３には、引き出し操作部１８を介して矢印Ｘ1方向に力が加わることになる。
【００４６】
すると、ディスクトレイ３は、第２の側壁３７のトレイ挿脱用開口部３５側縁の支点Ａを回動支点として回動されることになる。すると、ディスクトレイ３の第１の側壁３６側のトレイガイド部３２の脱落防止部１６ｂは、図９で点線で示す軌跡ａのように軌跡を描くことになる。この軌跡ａは、図９に示すように、第１の側壁３６に設けられた係合部４６ｂ上にかかり、脱落防止部１６ｂが係合部４６ｂに係合され、ディスクトレイ３のトレイ収納体４からの脱落が防止されることになる。
【００４７】
一方、利用者が、例えば底面開口部１３に亘って手等でディスクトレイ３を把持し、図９中矢印Ｘ2方向に力を加えてディスクトレイ３の取り外し操作を行った場合について説明する。この場合、ディスクトレイ３は、第１の側壁３６のトレイ挿脱用開口部３５側縁の支点Ｂを回動支点として回動されることになる。すると、ディスクトレイ３の第２の側壁３７側のトレイガイド部３２の脱落防止部１６ａは、図９で点線で示す軌跡ｂのように軌跡を描くことになる。この軌跡ｂは、図９に示すように、第２の側壁３７に設けられた係合部４６ａ上にかかり、脱落防止部１６ａが係合部４６ａに係合されることになる。しかしながら、ディスクトレイ３は、弾性変形されることにより、脱落防止部１６ａと係合部４６ａとの係合状態が解除されることになり、トレイ収納体４から取り外されることになる。
【００４８】
すなわち、ディスクトレイ３が図中矢印Ｘ1方向の力により回動される場合の軌跡ａの描く円の半径ｒ1とディスクトレイ３が図中矢印Ｘ2方向の力により回動される場合の軌跡ｂの描く円の半径ｒ2とには、次の関係が成り立つことになる。
【００４９】
軌跡ａの半径ｒ1＞軌跡ｂの半径ｒ2
これは、引き出し操作用切欠部１８が設けられることにより、第２の側壁３７が第１の側壁３６より突出しているためである。よって、軌跡ａの描く円は軌跡ｂの描く円より大きいことになる。したがって、ディスクトレイ３は、引き出し操作の際、図中矢印Ｘ1方向に力が加わり、さらに、ディスクトレイ３が弾性変形したとしても、トレイ収納体４から取り外すことができず、脱落が防止されることになる。また、ディスクトレイ３は、図中矢印Ｘ2方向に力が加えられた場合、脱落防止部１６ａが係合部４６ａに係合されることになるが、ディスクトレイ３が弾性変形されることにより係合状態が解除され、ディスクトレイ３のトレイ収納体４からの取り外しが可能とされる。
【００５０】
なお、トレイ収納体４から一旦取り外されたディスクトレイ３は、次のようにトレイ収納体４に取り付けられる。すなわち、先ず、トレイガイド部３２の脱落防止部１６ｂを第１の側壁３６側の所定のトレイガイド部３２に差し込む。そして、ディスクトレイ３は、上記図中矢印Ｘ2方向とは反対方向に回動操作されることにより、脱落防止部１６ａ側のガイドレール部１５が第２の側壁３７側の所定のトレイガイド部３２に差し込まれる。この際、ディスクトレイ３は、弾性変形される。これにより、脱落防止部１６ａは、トレイガイド部３２の係止部４６に阻害されること無く、トレイガイド部３２内に進入されることになり、トレイ収納体４への取付操作が完了されることになる。すなわち、ディスクトレイ３のトレイ収納体４への取り付け操作は、ディスクトレイ３の取り外し操作の逆の操作で行えばよい。
【００５１】
このように、ディスクトレイ３は、光ディスク２の交換作業等の通常のトレイ収納体４からの引き出し操作の際においてトレイ収納体４より抜け落ちることが防止される。したがって、ディスクトレイ収納装置１によれば、光ディスク２の交換作業を容易に行うことができる。また、ディスクトレイ３がトレイ収納体４から取り外された場合においても、ディスクトレイ３は、比較的容易な操作でトレイ収納体４に取り付けることができる。
【００５２】
〔ディスク再生装置の概要〕
次に、以上説明したディスクトレイ収納装置１が装填されるディスク再生装置５０について説明する。このディスク再生装置５０は、図１０に示すように、トレイ収納体４が装填される装填部５１と、この装填部５１に並んで光ディスク２を再生する再生部５２とが構成されている。ディスク再生装置５０は、その一の主面にディスクトレイ収納装置１の挿脱用開口部５３が設けられている。ディスクトレイ収納装置１は、トレイ挿脱用開口部３５を再生部５２側に向けて図１０中矢印Ｘ4方向に挿入操作され、装填部５１に装填される。再生部５２には、光ディスク２をクランプして回転操作すると共に光ピックアップよりレーザを光ディスク２の信号記録面に照射しこの信号記録面から反射された戻り光を検出しすることによりデータの読み出しを行うディスク駆動再生機構が備えられている。このディスク駆動再生機構は、再生部５２内を選択されたディスクトレイ３の番地の高さまで昇降する。ディスク再生装置５０は、選択されたディスクトレイ３を再生部５２に引き出し、ディスク駆動再生機構により光ディスク２をクランプして回転操作させることにより光ディスク２の再生を行う。
【００５３】
〔ディスクトレイ収納装置の着脱機構の説明〕
ディスクトレイ収納装置１の装填部５１への着脱操作は、以下に説明する着脱機構により行われる。この着脱機構は、図１１に示すように、ディスク再生装置５０のシャーシ６０の底面部に設けられ、ディスク駆動再生機構を再生部５２内で昇降させる駆動モータ６１と、この駆動モータ６１から伝達機構６２を介して回転される連結ギヤ６３と、この連結ギヤ６３に噛合される第１の移動体６４等を備える。伝達機構６２は、駆動モータ６１の駆動軸に軸支されるウォームギヤ６５と、このウォームギヤ６５に噛合される大径の第１のギヤ部６６ａと小径の第２のギヤ部６６ｂとを有する第１のギヤ６６と、第２のギヤ部６６ｂと噛合される大径の第１のギヤ部６７ａと小径の第２のギヤ部６７ｂとを有する第２のギヤ６７と、第２のギヤ部６７ｂと噛合される大径の第１のギヤ部６８ａと小径の第２のギヤ部６８ｂとを有する第３のギヤ６８とを有する。第２のギヤ部６８ｂは、連結ギヤ６３に噛合される。そして、連結ギヤ６３は、第１の移動体６４に設けられたギヤ部６４ａに噛合される。したがって、この第１の移動体６４は、駆動モータ６１の駆動力が伝達されることにより、図１１中矢印Ｘ5又は矢印Ｘ6方向に移動する。
【００５４】
また、この着脱機構は、図１１及び図１２に示すように、ディスクトレイ収納装置１に押圧され回動されてディスクトレイ収納装置１が装填部５１に装填された装填位置に維持するロックレバー６９と、ディスクトレイ収納装置１が装填部５１に装填されたことを検出するための検出レバー７１とを備える。
【００５５】
ロックレバー６９は、シャーシ６０に植立された支軸７０によりディスク再生装置５０の底面を構成するシャーシ６０に回動自在に支持される。ロックレバー６９には、その中途部にディスクトレイ収納装置１の底面に押圧されると共にディスクトレイ収納装置１を装填位置に保持するロックピン７２が植立されている。このロックピン７２は、シャーシ６０に設けられたガイド孔７３より装填部５１内に臨まされる。また、ロックレバー６９は、収縮バネ７４を介して検出レバー７１に接続されている。したがって、ロックレバー６９は、図１１及び図１２に示すように、ディスクトレイ収納装置１が装填部５１に装填されていない状態において、支軸７０を回動支点として図１１中矢印Ｘ8方向に回動付勢された状態にある。さらには、ロックレバー６９には、図１１に示すように、その先端部に、第１の移動体６４に設けられた係合部９４に係合されるロック解除ピン９５が設けられている。ロック解除ピン９５は、第１の移動体６４が図１１中矢印Ｘ6方向に移動されることにより、ロックレバー６９を同図矢印Ｘ8方向に回動させる。
【００５６】
検出レバー７１は、ロックレバー６９近傍の上記シャーシ６０に支軸７５により回動自在に支持されている。検出レバー７１には、その中途部にディスクトレイ収納装置１の底面に押圧されディスクトレイ収納装置１が装填部５１に装填されているか否かを検出する検出片７６が設けられている。この検出片７６は、シャーシ６０に穿設された開口部７７より装填部５１内に臨まされる。そして、検出レバー７１は、図１１及び図１２に示すように、収縮バネ７４により矢印Ｘ10方向に回動付勢されている。検出レバー７１は、ディスクトレイ収納装置１に押圧されることにより、図１１中矢印Ｘ9方向に回動され、その先端部により検出スイッチ７８を押すように構成されている。検出スイッチ７８は、検出レバー７１の先端部に押されることにより装填部５１にディスクトレイ収納装置１が装填されたことを検出する。
【００５７】
また、着脱機構には、図１２に示すように、シャーシ６０の天井部に、ディスクトレイ収納装置１の排出機構７９が設けられている。排出機構７９は、ディスクトレイ収納装置１を排出する排出部材８１と、この排出部材８１をディスクトレイ収納装置１の排出方向に付勢する２つの弾性体８０とを備える。
【００５８】
排出部材８１は、装填部５１奥方向に位置する側縁に、装填部５１の内方に向かってディスクトレイ収納装置１の内方側面に突き当てられる排出部８２が設けられる。排出部８２は、シャーシ６０の天井の最奥部からシャーシ６０の短辺方向の中程に至るまで設けられたガイド孔８５より装填部５１内方に臨まされる。また、排出部材８１には、その長手方向中央に長孔のガイド孔８３が穿設されている。このガイド孔８３には、これに対応してシャーシ６０のガイド孔８５の着脱用開口部５３側側縁近傍の天井部に設けられた係合片８４が係合される。これにより、排出部材８１は、シャーシ６０の短辺方向に沿って移動自在に取り付けられる。このような排出部材８１は、一方の端部がシャーシ６０の天井面に係止され、他方の端部が排出部材８１に係止された弾性体８０により着脱用開口部５３の方向、すなわち図１２１２中矢印Ｘ11方向に付勢される。すなわち、排出部８２は、ガイド孔８５の長手寸法の分だけ移動するようにされている。
【００５９】
一方、ディスクトレイ収納装置１には、図１３に示すように、トレイ収納体４の他方の主面側中央に、装填部５１への挿脱操作の際のガイドを行う第１の凹部８７が設けられている。この第１の凹部８７は、装填部５１への挿入端側が開放して設けられ、図１２に示す装填部５１の底面中央に複数設けられたガイドピン８８に係合される。これにより、第１の凹部８７は、ディスクトレイ収納装置１が装填部５１に誤った方向からの誤挿入が防止すると共に、挿入操作の際の位置合わせを行い挿脱操作のガイドを行う。
【００６０】
また、この第１の凹部８７の隣りには、図１３に示すように、ディスクトレイ収納装置１を装填位置に保持するための第２の凹部８９が設けられている。この第２の凹部８９は、装填部５１への挿入端側が開放して設けられ、一方の側縁に傾斜して設けられてロックレバー６９のロックピン７２を押圧する第１の押圧部９０と、この第１の押圧部９０に連続して設けられてロックピン７２が係合される凹状に設けられるロック部９１と、これら第１の押圧部９０及びロック部９１と対向する側に設けられ上記検出レバー７１の検出片７６を押圧する第２の押圧部９２とを備える。
【００６１】
このようなディスクトレイ収納装置１は、図１０に示すように、挿入方向表示部３３の表示方向に合わせて、着脱用開口部５３から装填部５１に挿入操作がなされる。すると、先ず、ディスクトレイ収納装置１は、図１２に示すように、排出部材８１の排出部８２にトレイ収納体４の挿入端側の側面が突き当てられるまで装填部５１に挿入され、仮装填位置に保持される。そして、ディスクトレイ収納装置１は、仮装填位置からさらに挿入方向に押圧操作されると、弾性体８０の収縮力に抗して排出部８２を押圧し、図１２中矢印Ｘ12方向に移動されることになる。この際、ロックレバー６９は、ロックピン７２がトレイ収納体４の底面に設けられた第２の凹部８９の第１の押圧部９０に押圧され、図１１中矢印Ｘ7方向に回動されることになる。そして、ロックピン７２は、トレイ収納体４が挿入方向に押圧されると共に図１１中矢印Ｘ7方向に回動され、ロック部９１にまで至ると、収縮バネ７４の弾性力により図１１中矢印Ｘ8方向に回動されロック部９１に係合され、装填位置に保持されることになる。これと同時に、検出レバー７１は、検出片７６が第２の押圧部９２に押圧され、図１１中矢印Ｘ9方向に回動され、その先端部が検出スイッチ７８を押圧し、検出スイッチ７８にディスクトレイ収納装置１が装填部５１に完全に装填されたことを検出させる。
【００６２】
また、ディスクトレイ収納装置１は、装填部５１より次のように排出される。図１１に示すように、ディスクトレイ収納装置１の排出機構は、ロックレバー６９が図１１中矢印Ｘ8方向に回動された状態にあり、検出レバー７１が同図矢印Ｘ9方向に回動された状態にある。この状態で、駆動モータ６１が駆動され、伝達機構６２を介して第１の移動体６４が同図矢印Ｘ5方向に移動される。すると、第１の移動体６４の係合部９４は、ロックレバー６９のロック解除ピン９５を押圧し、ロックレバー６９を同図矢印Ｘ7方向に回動させる。これにより、ディスクトレイ収納装置１のロック部９１とロックレバー６９のロックピン７２とは、係合状態が解除される。すると、排出機構７９は、弾性体８０の弾性力により、排出部８２がトレイ収納体４の挿入端側の側面を排出方向に押圧し、図１２中矢印Ｘ11方向にディスクトレイ収納装置１を移動させ装填部５１より排出させる。この際、検出レバー７１は、収縮バネ７４の弾性力により、図１１中矢印Ｘ10方向に回動され、検出スイッチ７８を押圧した状態が解除される。これにより、検出スイッチ７４は、装填部５１よりディスクトレイ収納装置１が排出されたことを検出する。
【００６３】
〔ディスクトレイ３の搬送機構の説明〕
ディスク再生装置５０において、ディスクトレイ３は、ディスク再生装置５０の搬送機構により、図１０に示す装填部５１のディスクトレイ３の収納位置から再生部５２の再生位置に、また、再生位置から収納位置に搬送される。この搬送機構は、図１４に示すように、光ディスク２の駆動再生機構を構成する光ディスク２をクランプするためのディスククランパが取り付けられる上側シャーシ１０１に設けられる。搬送機構は、図１４及び図１５に示すように、搬送機構を駆動させるためのローディング用モータ１０２と、ディスクトレイ収納装置１内の収納位置から再生部５２内の再生位置とに亘ってディスクトレイ３を移動させる係合部材１０３と、ローディング用モータ１０２から駆動伝達機構１０４を介して回動される第１の回動アーム１０５と、その一端に係合部材１０３が回動支持されると共に他端に第１の回動アーム１０５が回動支持される第２の回動アーム１０６とを備える。
【００６４】
ローディング用モータ１０２の駆動力を第１の回動アーム１０５を伝達する駆動伝達機構１０４は、図１４及び図１５に示すように、ローディング用モータ１０２の駆動軸に取り付けられたウォームギヤに噛合される第１の伝達ギヤ１０８と、この第１の伝達ギヤ１０８に噛合されるカムギヤ１０９と、このカムギヤ１０９と同軸にして上側シャーシ１０１の上側に取り付けられる第２の伝達ギヤ１１０と、上側シャーシ１０１に回動自在に支持される第１の扇形ギヤ１１１と、この第１の扇形ギヤ１１１に噛合され回動されると共に第１の回動アーム１０５を回動させる中間レバー１１２と、第２の伝達ギヤ１１０に噛合される第２の扇形ギヤ１１３とを備える。第１の扇形ギヤ１１１には、ガイド軸１１４が設けられている。ガイド軸１１４は、第２の扇形ギヤ１１３に略Ｃ字状に曲折して形成されたガイド孔１１５に挿通され、支持部材１１６により止められ、第１の扇形ギヤ１１１と第２の扇形ギヤ１１３とを接続する。第２の扇形ギヤ１１３は、これにより回動領域が規制される。中間レバー１１２は、上側シャーシ１０１に植立された支軸１１７に回動自在に支持される。第２の扇形ギヤ１１３には、上側シャーシ１０１に設けられたガイド孔１１８に係合される係合片１１９が設けられている。第２の扇形ギヤ１１３は、これにより回動領域が規制される。なお、この支軸１１７には、中間レバー１１２の他、同軸にして第１の回動アーム１０５及び第２の扇形ギヤ１１３が回動自在に支持される。
【００６５】
第１の回動アーム１０５には、その中途部に、ボス１２１が設けられ、また、スリット１２２が設けられている。そして、ボス１２１には、弾性体１２３の基部が嵌合される。弾性体１２３は、その両先端部がスリット１２２まで延在されている。スリット１２２からは、中間レバー１１２に設けられた支持突起１２４が弾性体１２３の両先端部の間に臨まされている。これにより、中間レバー１１２と第１の回動アーム１０５とが接続され、第１の回動アーム１０５が回動されることになる。
【００６６】
また、第１の回動アーム１０５には、第１の回動アーム１０５が支持される基端側と反対側の先端部に第２の回動アーム１０６が回動自在に支持されている。この第２の回動アーム１０６には、第１の回動アーム１０５とに亘って弾性力を有する線状部材１２５が取り付けられている。この線状部材１２５は、一方の端部が第１の回動アーム１０５に係止され、他端部が第２の回動アーム１０６に係止され、第２の回動アーム１０６を図１４中矢印Ｘ13方向に付勢する。また、この第２の回動アーム１０６には、長孔状のカイド孔１２６が設けられいる。このガイド孔１２６には、係合部材１０３の支持軸１０３ａが係合挿入されて回動自在に支持されると共に、このガイド孔１２６に従って係合部材１０３の支持軸１０３ａがスライド自在に支持されている。
【００６７】
係合部材１０３は、全体として略Ｃ字状に形成され、ディスクトレイ３の引き出し操作部１８に係合される。係合部材１０３は、装填部５１側にトレイ引き込み部１２７が設けられ、再生部５２側にトレイ押し出し部１２８が設けられている。トレイ引き込み部１２７は、ディスクトレイ３を装填部５１から再生部５２に引き出す際、引き出し操作部１８の内方側の面に当接される。また、トレイ押し出し部１２８は、ディスクトレイ３を再生部５２から装填部５１に押し出す際、引き出し操作部１８の外方側の側面に当接される。
【００６８】
また、係合部材１０３は、上側シャーシ１０１の側縁部に沿って設けられたガイド孔１２９に従って図１４中矢印Ｘ15又は矢印Ｘ16方向に移動される。これにより、係止部材１０３は、ディスクトレイ３の引き出し、押し出し操作を行う。
【００６９】
上側シャーシ１０１には、ディスクトレイ３の挿脱が行われる開放端側に、ディスクトレイ３を再生部５２内に引き込み又は押し出す際の凹状のガイド部１２９が設けられている。また、上側シャーシ１０１には、この第２の回動アーム１０６が図１４中矢印Ｘ15方向に移動された際、第２の回動アーム１０６が突き当てられる位置規制突起１３１が設けられている。また、上側シャーシ１０１には、この位置規制突起１３１に隣り合って、回動位置規制突起１３２が設けられている。第２の回動アーム１０６は、係合部材１０３をガイド孔１２９に従って同図矢印Ｘ15方向に移動されると、先ず、位置規制突起１３１に突き当てられ、次に、回動位置規制突起１３２に突き当てられることで、同図矢印Ｘ14方向に回動される。
【００７０】
このような搬送機構は、ディスクトレイ３を装填部５１から引き出しを開始する状態において、図１５に示すような状態とされる。すなわち、ディスクトレイ３を装填部５１の収納位置から再生部５２の再生部５２に引き出しを開始する状態では、ディスクトレイ３が収納位置にあり、第１の回動アーム１０５が図１５中矢印Ｘ17方向に回動され、第２の回動アーム１０６が位置規制突起１３１に突き当てられた状態にある。この際、係合部材１０３は、線状部材１２５の弾性力により図中矢印Ｘ13方向に回動された状態にあり、トレイ引き込み部１２７にディスクトレイ３の引き出し操作部１８の内側の側面が突き当てられ係合された状態にある。
【００７１】
そして、ローディング用モータ１０２が駆動されると、図１６のような状態にされる。すなわち、第１の回動アーム１０５は、駆動伝達機構１０４を介して、図中矢印Ｘ18方向に移動されることになる。すると、係合部材１０３は、ガイド孔１２９に従って、再生部５２内方、すなわち図１５中矢印Ｘ15方向に向かって移動されることになる。係合部材１０３は、これに伴って、ディスクトレイ３を再生部５２内に引き込む。ディスクトレイ３は、再生部５２内に、すべて収納されるのではなく、底面開口部１３が収納された状態とされる。すなわち、ディスクトレイ３は、光ディスク２を回転操作し再生するのに最低限必要なディスク再生機構が臨まされる底面開口部１３が再生部５２内に移動されるに止まる。これにより、ディスク再生装置５０は、装置の小型化が図られる。そして、この状態において、光ディスク２は、再生部５２において回転操作可能な状態にされる。なお、係合部材１０３は、線状部材１２５の弾性力により図中矢印Ｘ13方向に回動された状態にある。
【００７２】
そして、光ディスク２の再生が終了し、再度、再生部５２の再生位置から装填部５１の収納位置に移動操作される場合には、第１の回動アーム１０５は、図１６中矢印Ｘ17方向に回動され、係合部材１０３をガイド孔１２９に従って同図矢印Ｘ16方向に移動させる。この際、係合部材１０３は、ディスクトレイ３の引き出し操作部１８の外側の側面に押し出し部１２８が当接される。係合部材１０３は、図１７に示すように、ディスクトレイ３を押し出すようにして、再生位置から収納位置へと移動させる。すると、第２の回動アーム１０６は、先ず、位置規制突起１３１に突き当てられた状態にされる。
【００７３】
さらに、第１の回動アーム１０５は、図１６中矢印Ｘ17方向に回動される。すると、第２の回動アーム１０６は、図１８に示すように、線状部材１２５の弾性力に抗して、矢印Ｘ14方向に回動され、位置規制突起１３１に隣り合って設けられた回動位置規制突起１３２に突き当てられるまで回動されることになる。係合部材１０３は、やや図１８中矢印Ｘ14方向に回動されることになる。これにより、係合部材１０３は、トレイ引き込み部１２７及びトレイ押し出し部１２８の何れもがディスクトレイ３の引き出し操作部１８に当接されない状態になり、トレイ引き込み部１２７及びトレイ押し出し部１２８との間にクリアランス１３３が設けられることになる。すなわち、図１７に示すディスクトレイ３の状態から図１８に示すディスクトレイ３の状態においては、ディスクトレイ３の位置は、変化されない。図１８に示す状態において、上側シャーシ１０１を含む光ディスク再生機構は、所定の光ディスク２が載置されたディスクトレイ３の位置にまで昇降することになる。
【００７４】
この際、光ディスク再生機構は、昇降される際、係合部材１０３がディスクトレイ３の引き出し操作部１８との間にクリアランス１３３が設けられることから、係合部材１０３が引き出し操作部１８と衝突することが防止される。また、ディスクトレイ３は、ディスクトレイ収納装置１に収納された状態において、その収納位置に、微小なばらつきが生じることになるが、このようなばらつきについてもクリアランス１３３が設けられることから、光ディスク再生機構の昇降動作に影響を与えることはない。
【００７５】
また、このような搬送機構には、ディスクトレイ３が再生位置に引き込まれた際、ディスクトレイ３を再生位置に位置決めするための位置規制機構が設けられている。この位置規制機構は、後述する光ディスク再生機構１４０を構成する下側シャーシ１４１の内方に設けられる位置規制突起１３６と、上述した弾性体１２３とを備える。そして、再生部５２の再生位置に引き込まれたディスクトレイ３は、図１４、図１６及び図１９に示すように、光ディスク再生機構の奥方向内面に設けられた再生位置規制突起１３６に突き当てられる。具体的には、この再生位置規制突起１３６は、略円柱状に形成され、ディスクトレイ３の前端側に設けられた切欠部１９に係合される。これにより、ディスクトレイ３は、再生位置における搬送方向の位置決めが行われる。
【００７６】
また、上述したとおり、弾性体１２３は、図１４及び図１６に示すように、弾性を有する線状部材よりなり、コイル状に構成された基部１３７が第１の回動アーム１０５に設けられたボス１２１に嵌合して取り付けられる。また、弾性体１２３は、この基部１３７より２本のアーム１３８、１３９が延設される。アーム１３８、１３９は、その先端部が第１の回動アーム１０５に設けられた係止部に係止される。このようなアーム１３８、１３９は、その先端部が互いに近接する方に付勢されている。そして、アーム１３８、１３９の間からは、スリット１２２より臨まされた支持突起１２４が係合される。これにより、第１の回動アーム１０５は、中間レバー１１２と接続される。
【００７７】
また、この弾性体１２３は、ディスクトレイ３が再生位置に引き込まれた際に、次のようにも機能する。すなわち、ディスクトレイ３は、搬送機構により再生位置に引き込まれ、ディスクトレイ３の前端縁に設けられた切欠部１９に再生位置規制突起１３６が係合される。これにより、ディスクトレイ３は、再生位置における図１６中矢印Ｘ15方向の位置決めが行われる。
【００７８】
この際、第１の回動アーム１０５が図１６及び図１９中矢印Ｘ18方向に回動されると、中間レバー１１２の支持突起１２４は、アーム１３８側に突き当てられ、さらに、弾性力に抗してアーム１３９と離間する方向に押されることになる。これにより、係合部材１０３には、矢印Ｘ15方向にディスクトレイ３を引き込む力が生じると共に、ディスクトレイ３には、図１６中矢印Ｘ19方向にディスクトレイ３が回動するように力が生じる。すると、ディスクトレイ３は、そのガイドレール部１５に設けられた脱落防止部１６ｂがトレイガイド部３２の側壁に突き当てられることになる。これにより、ディスクトレイ３は、再生位置における搬送方向とは直交する方向の位置決めがなされる。
【００７９】
また、再生位置規制突起１３６が係合されるディスクトレイ３の切欠部１９は、図１６及び図１９に示すように、略Ｖ字状に設けられている。そして、このような切欠部１９に係合される再生位置規制突起１３６は、円柱状に形成されている。したがって、位置規制突起１３６は、必ずＶ字状に形成された切欠部１９の互いに隣り合う側縁に２点で当接され支持されることになる。したがって、再生位置規制突起１３６は、ディスクトレイ３の搬送方向及びこれに直交する方向の位置決めを着実に行うことができる。
【００８０】
特に、ディスク再生装置５０は、車載用として用いられるが、このようにディスクトレイ３が再生位置において着実に位置決めがされることから、光ディスク２の再生中にも、自動車走行中の振動等大きな振動があった場合にも、ディスクトレイ３ががたつくことが防止される。したがって、光ディスク２の再生中にディスクトレイ３ががたつくことにより、回転操作中の光ディスク２に面ぶれ等の悪影響を引き起こすことが防止される。また、ディスクトレイ３は、再生位置に引き込まれた際、再生位置に正確に位置決めがされることから、詳細は後述するが光ディスク再生機構１４０のディスクテーブル１４２のセンタリング部と光ディスク２のセンタ孔との位置合わせが正確に行われることになり、クランプの際、センタリング部が光ディスク２のセンタ孔に確実に嵌合される。
【００８１】
〔光ディスク再生機構の説明〕
光ディスク２を回転操作し光ディスクに記録された情報信号の読み出しを行う光ディスク再生機構１４０は、図２０に示すように、ディスクテーブル１４２を備える下側シャーシ１４１と、ディスククランパを備える上側シャーシ１０１とを備える。
【００８２】
下側シャーシ１４１には、図２０に示すように、ディスクトレイ３の挿入端側に、ディスクテーブル１４２が回転自在に備えられている。このディスクテーブル１４２は、その中央に光ディスク２のセンタ孔に嵌合される凸状のセンタリング部１４３が設けられ、センタリング部１４３の周囲に光ディスク２のセンタ孔の周囲を保持するディスク保持部１４４が設けられ、全体として略円盤状を呈して形成されている。このようなディスクテーブル１４２は、下側シャーシ１４１のディスクトレイ３の挿入端側の下側の面に配設される光ディスク２を回転操作させるための光ディスク駆動用モータ１４５の駆動軸に軸支されている。
【００８３】
また、下側シャーシ１４１には、ディスクテーブル１４２に隣り合って光ピックアップを外方に臨ませる光ピックアップ用開口部１４６がディスクテーブル１４２側から下側シャーシ１４１の奥方向に亘って設けられている。すなわち、光ピックアップ用開口部１４６は、光ディスク２の内外周に亘ってレーザ照射できるように形成されている。そして、この光ピックアップ用開口部１４６から外方に臨まされる光ピックアップ１４７は、光ディスク２の信号記録面に対して平行に移動できるように下側シャーシ１４１に取り付けられている。
【００８４】
すなわち、光ピックアップ１４７の移送機構は、光ピックアップ用モータ１４５と、光ピックアップ用開口部１４６の一方の長手方向に沿って配設され光ピックアップ用モータ１４５により回転されるスラスト軸１４８と、光ピックアップ用開口部１４６の他方の長手方向に沿って配設されるガイド軸１４９と、スラスト軸１４８及びガイド軸１４９に取り付けられ光ピックアップ１４７が保持されるピックアップ取付け部１５１とを備える。光ピックアップ１４７は、光ピックアップ用モータ１４５が駆動されることにより、スラスト軸１４８及びガイド軸１４９に従って、光ピックアップ用開口部１４６を移動する。なお、光ピックアップ１４７には、光ディスク２の信号記録面に対向して配設される対物レンズ１５２に対して光ビームを入射させ、対物レンズ１５２からの反射光が入射される光学ブロックが設けられている。
【００８５】
上側シャーシ１０１には、上述したディスクトレイ３の搬送機構が設けられる他、ディスクテーブル１４２と共同して光ディスク２を狭持するディスククランパ１５３が備えられている。このディスククランパ１５３は、クランパ支持部材１５４により支持され、上側シャーシ１０１のディスクトレイ３挿入端に設けられたクランパ用開口部１５５よりディスクテーブル側に臨まされている。このクランパ支持部材１５４は、ディスクトレイ３の挿入端側の一方のコーナ部に開口として設けられたクランパ支持部材取付け部１５６に回動自在に支持され取り付けられる。また、クランパ支持部材１５４には、上側シャーシ１０１への取付け側の端部に、捻りコイルバネ１５７が取り付けられている。この捻りコイルバネ１５７は、コイル部が支軸に取り付けられ、このコイル部から延設された一対のアームが上側シャーシ１０１に設けられた係止部に係止され、クランパ支持部材１５４を再生部５２へ向かう下方向に付勢している。
【００８６】
クランパ支持部材１５４には、他方の端部に、クランパ用回動規制軸１５８が設けられている。クランパ用回動規制軸１５８は、上側シャーシ１０１の側面にスライド可能に取り付けられる第３のスライダ１６３のカム孔１９３に係合される。これにより、クランパ支持部材１５４は、捻りコイルバネ１５７の弾性力に抗してディスククランパ１５３をディスクテーブル１４２と離間する上方向に移動させ、また、ディスククランパ１５３が光ディスク２をクランプするように下方向に移動させる。
【００８７】
また、上側シャーシ１０１には、ディスクトレイ３の挿入端側を除く３側面に第１乃至第３のスライダ１６１〜１６３がスライド自在に取り付けられている。具体的には、第１のスライダ１６１は、再生部５２内方奥、ディスクトレイ３の挿入端と対向する側の側壁１６４の内側にスライド自在に取り付けられる。第１のスライダ１６１には、この光ディスク再生機構１４０をシャーシ６０に支持させ位置決めさせるための第１の第１の位置規制突起１６５が側壁１６４に設けられたガイド開口部１６６より外方に臨まされている。また、第１のスライダ１６１には、第２のスライダ１６２側の側縁部にも、光ディスク再生機構１４０をシャーシ６０に支持させ位置決めさせるための第２の位置規制突起１７０が設けられている。第１のスライダ１６１には、側壁１６４にスライド自在に支持するための長孔状のガイド孔１６８が設けられている。このガイド孔１６８には、図示しないが側壁１６４に設けられたガイドピンが係合される。なお、第１のスライダ１６１は、側壁１６４に設けられた支持片１６９に支持されている。そして、第１のスライダ１６１には、第２のスライダ１６２と隣り合う端部に、第２のスライダ１６２と連結するための連結軸１７１が設けられている。
【００８８】
第２のスライダ１６２は、ディスクトレイ３の搬送方向と平行な一方の側壁１７２の外方側にスライド自在に取り付けられる。具体的には、第２のスライダ１６２は、その両端部に、側壁１７２に設けられたガイドピン１７３が係合され第２のスライダ１６２のスライドをガイドするためのガイド孔１７４が設けられている。側壁１７２には、光ディスク再生機構１４０を昇降動作をガイドする第１の昇降ガイド突起１７５、第２の昇降ガイド突起１８０が設けられている。第１の昇降ガイド突起１７５は、第２のスライダ１６２に設けられた開口部１７６より外方に臨まされる。第２のスライダ１６２の第１のスライダ１６１と隣り合う端部には、第１のスライダ１６１と接続するための連結軸１７７が設けられている。また、第２のスライダ１６２には、下側シャーシ１４１に設けられた回動規制軸１７８を外方に臨ませる階段状に設けられたガイド孔１７９が設けられている。これにより、下側シャーシ１４１は、回動操作され、光ディスク２をクランプする際、ディスクテーブル１４２がディスククランパ１５３に近接する方向に回動され、また、ディスクテーブル１４２が離間する方向に回動されることになる。
【００８９】
第１のスライダ１６１と第２のスライダ１６２とは、接続部材１８１を介して接続される。接続部材１８１には、第１のスライダ１６１の連結軸１７１が係合される長孔状の第１の軸孔１８２と、第２のスライダ１６２の連結軸１７７が係合される長孔状の第２の軸孔１８３と、上側シャーシ１０１の奥方向コーナ部に設けられた支軸１８５に嵌合され接続部材１８１を回動自在に支持する第３の軸孔１８４とを備える。これにより、第２のスライダ１６２は、第１のスライダ１６１のスライド動作に合わせてスライドされる。
【００９０】
第３のスライダ１６３は、ディスクトレイ３の搬送方向と平行な他方の側壁１８６の外方側にスライド自在に取り付けられる。具体的には、第３のスライダ１６３は、側壁１８６に設けられた図示しないガイドピンが係合され、第３のスライダ１６３のスライドをガイドするためのガイド孔１８７が設けられている。また、側壁１７２には、光ディスク再生機構１４０を昇降動作をガイドする第３の昇降ガイド突起１８８が設けられている。第３の昇降ガイド突起１８８は、第３のスライダ１６３に設けられた開口部１８９より外方に臨まされる。
【００９１】
第３のスライダ１６３には、下側シャーシ１４１に設けられた回動規制軸１９０を外方に臨ませる階段状に設けられたガイド孔１９１が設けられている。これにより、ガイド孔１９１は、上記第２のスライダ１６２側のガイド孔１７９と共同して、回動操作され、光ディスク２をクランプする際、ディスクテーブル１４２がディスククランパ１５３に近接する方向に回動され、また、ディスクテーブル１４２が離間する方向に回動されることになる。
【００９２】
さらには、第３のスライダ１６３には、光ディスク再生機構１４０をシャーシ６０に支持させ位置決めさせるための第３の位置規制突起１９２が設けられている。また、第３の位置規制突起１９２の近傍には、立上がり片が設けられており、この立上がり片に、ディスククランパ１５３を回動操作するための階段状のカム孔１９３が設けられている。このカム孔１９３には、クランパ支持部材１５４のクランパ用回動規制軸１５８が係合される。第３のスライダ１６３は、スライドすることで、クランパ支持部材１５４を回動させる。
【００９３】
このような第３のスライダ１６３と第１のスライダ１６１とは、次のようなリンク機構１９６により接続される。また、このリンク機構１９６を介して、第１乃至第３のスライダ１６１〜１６３は、共にスライドされる。このリンク機構１９６は、図２１に示すように、ローディング用モータ１０２により伝達ギヤ１９７を介して回転されるカムギヤ１０９と、第１のスライダ１６１と第３のスライダ１６３とを接続する接続部材１９８と、この接続部材１９８とカムギヤ１０９とを接続する接続アーム１９９とを備える。カムギヤ１０９の回転軸２０１は、接続部材１９８のが軸孔２０２を挿通し、上側シャーシ１０１上の駆動伝達機構１０４を構成する第２の伝達ギヤ１１０に接続されている。
【００９４】
接続部材１９８には、軸孔２０２の他に、第１の接続孔２０３と第２の接続孔２０４とが設けられている。第１の接続孔２０３には、第１のスライダ１６１の第３のスライダ１６３側に設けられた第１の接続用凸部２０５が係合され、第２の接続孔２０４には、第３のスライダ１６３の第１のスライダ１６１側に設けられた第２の接続用凸部２０６が係合され、接続部材１９８との連結が図られている。
【００９５】
接続アーム１９９には、一方の端部に軸孔２０７が設けられ、この軸孔２０７に、上側シャーシ１０１に植立された支軸２０８が嵌合され、回動自在に支持されている。また、接続アーム１９９には、他方の端部に、接続部材１９８の接続アーム１９９側の面に設けられた接続突起２０９が係合されるガイド孔２１１が設けられている。さらには、接続アーム１９９には、カムギヤ１０９側の面に、カムギヤ１０９に形成された渦巻き状のカム溝２１２に係合される係合ピン２１３が設けられている。
【００９６】
このようなリンク機構１９６は、ローディング用モータ１０２が駆動されカムギヤ１０９が回転されると、カム溝２１２に従って接続アーム１９９が回動される。すると、接続部材１９８は、接続アーム１９９の回動動作に従って回動され、接続部材１９８に接続された第１のスライダ１６１及び第３のスライダ１６３がスライドされることになる。また、第２のスライダ１６２は、上述したとおり接続部材１８１を介して第１のスライダ１６１に接続されていることから、第１のスライダ１６１及び第３のスライダ１６３と共にスライドされる。
【００９７】
なお、上側シャーシ１０１と下側シャーシ１４１とは、図２０に示すように、奥方向両側縁に設けられた支持凸部２１４がこれに対応して設けられた下側シャーシ１４１の軸孔２１５に嵌合されることにより、回動自在に支持される。
【００９８】
このような光ディスク再生機構１４０を構成する第１乃至第３のスライダ１６１〜１６３は、ローディング用モータ１０２が駆動されることにより、次のようにスライドされる。先ず、光ディスク２がディスククランパ１５３及びディスクテーブル１４２によりクランプされていない状態について説明する。図２０及び図２２（Ａ）に示すように、第１のスライダ１６１は、第２のスライダ１６２側である同図矢印Ｘ20方向にスライドされた状態にある。
【００９９】
したがって、第１のスライダ１６１に接続部材１８１を介して接続された第２のスライダ１６２は、図２０及び図２２（Ｂ）に示すように、ディスクトレイ３の挿入端側である同図矢印Ｘ21方向にスライドされた状態にある。この際、下側シャーシ１４１の回動規制軸１７８は、第２のスライダ１６２に階段状に設けられたガイド孔１７９の下側の段に位置される。
【０１００】
第３のスライダ１６３は、第１のスライダ１６１が矢印Ｘ20方向にスライドされていることで、図２０２０及び図２２（Ｃ）に示すように、同図矢印Ｘ22方向にスライドされた状態にある。この際、下側シャーシ１４１の回動規制軸１９０は、第３のスライダ１６３の階段状に形成されたガイド孔１９１の下側の段に位置される。したがって、下側シャーシ１４１は、回動規制軸１７８、１９０が階段状に形成されたガイド孔１７９、１９１の下側の段に位置されることにより、上側シャーシ１０１と離間する方向に回動された状態にされる。換言すれば、ディスクテーブル１４２は、ディスククランパ１５３から離間した方向に移動されている。
【０１０１】
この際、クランパ用回動規制軸１５８は、図２２（Ｃ）に示すように、第３のスライダ１６３に設けられた階段状に形成されたカム孔１９３の下側の段に位置されている。これにより、クランパ支持部材１５４は、捻りコイルバネ１５７の弾性力に抗して、上方向に回動された状態に維持される。すなわち、クランパ支持部材１５４は、図２２（Ｄ）に示すように、図中上方向に回動されることにより、ディスクテーブル１４２を上側シャーシ１０１の天井面とほぼ同一面上を構成する位置にまで待避させる。また、これと共に、下側シャーシ１４１は、上側シャーシ１０１から離間する方向に回動された状態にある。これにより、ディスクテーブル１４２とディスククランパ１５３との間には、クリアランスが設けられることになり、ディスクトレイ３の収納位置と再生位置との間の搬送操作が可能な状態にされる。
【０１０２】
次に、ディスククランパ１５３及びディスクテーブル１４２とが光ディスク２をクランプした状態について説明する。第１のスライダ１６１は、図２０及び図２３（Ａ）に示すように、図２２（Ａ）に示す状態から、ローディング用モータ１０２が駆動されることにより、同図矢印Ｘ23方向にスライドされることになる。これに伴って、第１のスライダ１６１に接続部材１８１を介して接続された第２のスライダ１６２は、同図矢印Ｘ24方向にスライドされ、図２３（Ｂ）に示す状態にされる。この際、下側シャーシ１４１の回動規制軸１７８は、第２のスライダ１６２に階段状に設けられたガイド孔１７９の図２２（Ｂ）に示す下側の段から図２３（Ｂ）に示す上側の段に移動される。
【０１０３】
第３のスライダ１６３は、第１のスライダ１６１が矢印Ｘ23方向にスライドされていることで、図２０及び図２３（Ｃ）に示すように、同図矢印Ｘ25方向にスライドされる。この際、下側シャーシ１４１の回動規制軸１９０は、第３のスライダ１６３の階段状に形成されたガイド孔１９１の図２２（Ｃ）に示す下側の段から図２３（Ｃ）に示す上側の段に移動される。したがって、下側シャーシ１４１は、回動規制軸１７８、１９０が階段状に形成されたガイド孔１７９、１９１の上側の段に位置されることにより、上側シャーシ１０１と近接する方向に回動される。
【０１０４】
この際、クランパ用回動規制軸１５８は、図２３（Ｃ）に示すように、第３のスライダ１６３に設けられた階段状に形成されたカム孔１９３の下側の段から上側の段に移動される。これにより、クランパ支持部材１５４は、捻りコイルバネ１５７の弾性力により、下方向に回動された状態にされる。すなわち、クランパ支持部材１５４は、図２３（Ｄ）に示すように、図中下方向に回動される。これにより、ディスクテーブル１４２は、僅かに光ディスク２を持ち上げ、ディスククランパ１５３と共同して光ディスク２をクランプする。そして、光ディスク２は、光ディスク駆動用モータ１４５が駆動され、回転操作される。
【０１０５】
すると、光ピックアップ１４７は、移送機構により、光ピックアップ用開口部１４６内を移動し、光ディスク２の内外周に亘って光学ブロックから出射される光ビームが対物レンズ１５２によって光ディスク２の信号記録面に照射される。これと共に、信号記録面から反射された反射光は、対物レンズ１５２を介して光学ブロックに入射され、光ピックアップ１４７に設けられた光検出器により検出される。これにより、光ディスク２に記録された情報信号は、読み出しが行われる。
【０１０６】
ところで、このような光ディスク再生機構１４０の内方には、図２４に示すように、ディスクトレイ３が再生位置へと搬送される際に、光ディスク２がディスク収納凹部１１より脱落することを防止するための光ディスク２のディスク規制機構２２０が備えられている。このディスク規制機構２２０は、図２４に示すように、光ディスク再生機構１４０の最内方に回動自在に取り付けられる光ディスク規制部材２２１を備える。光ディスク規制部材２２１は、一方の端部に設けられる光ディスク２及びディスクトレイ３を狭持する規制部２２２と、規制部２２２が設けられない側の他方の端部に設けられる枢支部２２３と、光ディスク規制部材２２１を光ディスク再生機構１４０の最内方に維持する係合部２２４とを備える。
【０１０７】
規制部２２２は、全体として略Ｃ字状に形成され、ディスクトレイ３のディスク収納凹部１１が設けられる表側の前端縁及び光ディスク２の周縁を支持する第１の支持部２２５と、ディスクトレイ３の裏面側の前端縁を保持する第２の支持部２２６と、ディスクトレイ３の前端縁を支持する第３の支持部２２７とを備える。第１の支持部２２５と第２の支持部２２６との間隔は、ディスクトレイ３の前端縁の厚さよりやや厚くして形成されている。また、第１の支持部２２５は、光ディスク２のディスクトレイ３からの脱落を防止するため、ディスクトレイ３の前端縁からディスクトレイ３に載置された光ディスク２の周縁部上方に至るまでの長さを有し、第２の支持部２２６より長く形成されている。また、第１の支持部２２５と第２の支持部２２６は、それぞれの端部が外方に向かって下がるテーパ部が設けられている。これにより、テーパ部は、規制部２２２にディスクトレイ３が進入し易くしている。
【０１０８】
また、枢支部２２３は、上側シャーシ１０１内面側に植立して形成された支軸２２８により枢支され、図２４中矢印Ｘ25又は矢印Ｘ26方向に回動自在に支持される。また、係合部２２４は、光ディスク規制部材２２１の基体部から突出して設けられ、規制部２２２側が開放された略Ｌ字状の立上がり壁により構成される。この係合部２２４には、第１のスライダ１６１に設けられた係合突起２３１が係合される。
【０１０９】
一方、上述した第１のスライダ１６１には、係合部２２４が進入される係止部用空間部２２９が構成されている。この空間部２２９は、第１のスライダ１６１の側縁部を凸状に曲折して形成される。この空間部２２９を構成する第１のスライダ１６１の一部のよりなる天井面には、下方に向かって、係合部２２４に係止される係合突起２３１が設けられている。係合突起２３１は、係合部２２４の開放側から第１のスライダ１６１がスライドされることにより進入され、係合部２２４と係合状態にされる。
【０１１０】
このように支持される光ディスク規制部材２２１は、コイルバネよりなる弾性体２３２により下側シャーシ１４１に接続される。すなわち、弾性体２３２は、図２０及び図２４に示すように、一方の端部が光ディスク規制部材２２１の枢支部２２３側に設けられた係止部２３３に係止され、他方の端部が下側シャーシ１４１内方コーナ部に植立された係止ピン２３４に係止される。これにより、光ディスク規制部材２２１は、ディスクトレイ３の挿入方向とは反対方向である図２４中矢印Ｘ25方向に付勢される。
【０１１１】
このようなディスク規制機構２２０は、図２７２７（Ａ）に示すように、ディスクトレイ３が再生位置に無い状態において、光ディスク規制部材２２１が弾性体２３２の弾性力により矢印Ｘ25方向に付勢された第１の位置とされる。
【０１１２】
そして、ディスクトレイ３が再生位置へと搬送されると、図２５及び図２７（Ｂ）に示すように、光ディスク規制部材２２１は、この第１の位置において、規制部２２２の第３の支持部２２７にディスクトレイ３の前端縁が突き当てられ規制部２２２に光ディスク２及びディスクトレイ３の前端縁が狭持された状態にされる。この際、上述したとおり、第１のスライダ１６１は、図２５中矢印Ｘ20方向に移動されている状態にある。
【０１１３】
さらに、ディスクトレイ３が上述した搬送機構により、再生位置へと搬送されると、光ディスク規制部材２２１は、図２５及び図２７（Ｃ）に示すように、規制部２２２の第３の支持部２２７にディスクトレイ３の側縁が突き当てられ規制部２２２に光ディスク２及びディスクトレイ３の前端縁が狭持された状態で、ディスクトレイ３の挿入方向と同じ図２５中矢印Ｘ26方向に回動され、図２５中点線で示す第２の位置にされる。
【０１１４】
すると、第１のスライダ１６１は、図２５及び２６中矢印Ｘ23方向にスライドされ、図２６に示すように、係合部２２４と係合突起２３１とが係合された状態にされる。光ディスク規制部材２２１は、図２６に示すように、係合部２２４に係合突起２３１が進入され引き込まれることにより、図２５で点線で示す第２の位置よりさらに矢印Ｘ26方向に回動され、図２６及び図２７（Ｄ）に示す第３の位置にされる。これにより、光ディスク規制部材２２１は、側壁１６４に突き当てられた光ディスク再生機構１４０の最内方に位置される。これと共に、第１の支持部２２５は、光ディスク２の周縁より待避される。これにより、光ディスク２は、図２７（Ｅ）に示すように、ディスクトレイ３のディスク収納凹部１１から僅かに持ち上げることが可能となり、回転操作可能な状態にされる。
【０１１５】
そして、ディスク規制機構２２０は、ディスクトレイ３を再生位置から収納位置へ搬送する場合、次のようにされる。すなわち、図２６に示すように、光ディスク規制部材２２１は、第１のスライダ１６１が図２６２６中矢印Ｘ24方向にスライドされることにより、係合部２２４と係合突起２３１との係合状態が解除され、弾性体２３２の弾性力により、同図矢印Ｘ25方向に回動され、上記第３の位置から第１の位置に戻ることになる。
【０１１６】
このようなディスク規制機構２２０は、図２７（Ｂ）乃至図２７（Ｄ）に示すように、ディスクトレイ３の収納位置から再生位置への搬送時又は再生位置から収納位置への搬送時において、光ディスク規制部材２２１が第１の位置から第３の位置又は第３の位置から第１の位置に至るまで第１の支持部２２５がディスクトレイ３の前端縁からディスクトレイ３のディスク収納凹部１１に載置された光ディスク２の周縁部上方にまで亘って位置されることになる。したがって、光ディスク２は、収納位置から再生位置への搬送時において、ディスクトレイ３のディスク収納凹部１１よりはみ出すことが防止され、光ディスク再生機構１４０内でディスクトレイ３より脱落することが防止される。
【０１１７】
このようなディスク規制機構２２０は、ディスク再生装置５０が縦置きや横置き等様々な姿勢で置かれた場合においても、ディスクトレイ３に保持された光ディスク２の位置を着実に規制することができる。また、ディスク規制機構２２０は、自動車の走行中に生じる振動のようにディスク再生装置５０に加えられる大きな振動からも、光ディスク２の位置を着実に規制することができる。
【０１１８】
〔光ディスク再生機構の昇降機構の説明〕
以上詳細に説明した光ディスク再生機構１４０は、ディスク再生装置５０の再生部５２内を光ディスク２の再生を行うために選択されたディスクトレイ３の番地に対応する高さまで移動される。この昇降機構は、図１１及び図２８に示すように、上述したディスクトレイ収納装置１の着脱機構を構成する駆動モータ６１により伝達機構６２及び連結ギヤ６３を介して移動される第１の移動体６４と第２の移動体２４１とを備える。そして、第１の移動体６４及び第２の移動体２４１は、光ディスク再生機構１４０の昇降方向とは直交する方向、すなわち、ディスクトレイ３の搬送方向と同方向に移動される。
【０１１９】
第１の移動体６４は、図１１及び図２８に示すように、全体として略Ｌ字状をして形成され、ディスクトレイ３の搬送方向と平行なシャーシ６０の一方の第１の側面１４２とシャーシ６０の底面とに沿って取り付けられている。この第１の移動体６４は、上述した通り、シャーシ６０の底面に位置される側縁にギヤ部６４ａが設けられ、連結ギヤ６３に噛合されている。また、第１の移動体６４は、第１の側面１４２と並ぶ面に、長孔状のガイド孔２４３が設けられ、このガイド孔２４３にシャーシ６０側のガイドピン２４４が係合されガイドされる。
【０１２０】
一方、シャーシ６０の第１の側面２４２には、シャーシ６０の底面に対して垂直方向に設けられた第１のカム孔２４５、２４６、２４７が設けられている。第１のカム孔２４５には、光ディスク再生機構１４０を構成する第２のスライダ１６２側の第１の昇降ガイド突起１７５が係合され挿通される。第１のカム孔２４６には、光ディスク再生機構１４０の第２のスライダ１６２側の回動規制軸１７８が係合される。第１のカム孔２４７には、光ディスク再生機構１４０の第２のスライダ１６２側の第２の昇降ガイド突起１８０が係合され挿通される。このように、第１のカム孔２４５、２４６、２４７は、第１の昇降ガイド突起１７５、回動規制軸１７８、及び第２の昇降ガイド突起１８０が係合されることで、光ディスク再生機構１４０の昇降動作をガイドする。
【０１２１】
そして、第１の移動体６４には、第１のカム孔２４５、２４７に対応して、これら第１のカム孔２４５、２４７に対して所定角度傾斜して第２のカム孔２４８、２４９が設けられている。この第２のカム孔２４８には、第１の昇降ガイド突起１７５が係合され、第２のカム孔２４９には、第２の昇降ガイド突起１８０が係合される。このような第１の移動体６４は、駆動モータ６１が駆動されることで、伝達機構６２及び連結ギヤ６３を介して図２８中矢印Ｘ5又は矢印Ｘ6方向に移動される。
【０１２２】
また、第１の移動体６４には、図１１に示すように、光ディスク再生機構１４０の位置を検出するための検出機構２５１が備えられている。この検出機構２５１は、シャーシ６０側に取り付けられた可動端子部２５２と、第１の移動体６４側に取り付けられた固定端子部２５３とを備える。固定端子部２５２は、第１の移動体６４の移動方向に対して所定角度傾斜して設けられ、その中央に、凹状溝よりなるレール部２５４が設けられている。レール部２５４には、図示しないが可動端子部に設けられ第１の移動体６４の移動方向に対して直交する方向に移動する可動端子が係合される。検出機構２５１は、第１の移動体６４が移動されると、可動端子がレール部２５４に従って第１の移動体６４の移動方向とは直交する方向に移動されることで、第１の移動体６４の移動量、すなわち、再生部５２内での光ディスク再生機構１４０の位置（ディスクトレイ３の番地）を検出する。
【０１２３】
第２の移動体２４１は、図１１及び図２８に示すように、全体として略Ｌ字状をして形成され、ディスクトレイ３の搬送方向と平行なシャーシ６０の他方の第２の側面１５６とシャーシ６０の底面とに沿って取り付けられている。この第２の移動体２４１は、シャーシ６０の底面に位置される側縁にギヤ部２４１ａが設けられ、連結ギヤ６３に噛合されている。また、第１の移動体６４は、第１の側面１４２と並ぶ面に、長孔状のガイド孔２５７が設けられ、このガイド孔２５７にシャーシ６０側のガイドピン２５８が係合されガイドされる。
【０１２４】
一方、シャーシ６０の第２の側面２５６には、シャーシ６０の底面に対して垂直方向に設けられた第１のカム孔２５８が設けられている。第１のカム孔２５８には、光ディスク再生機構１４０を構成する第３のスライダ１６３側の第３の昇降ガイド突起１８８が係合され挿通される。第１のカム孔２５８は、第３の昇降ガイド突起１８８が係合されることで、光ディスク再生機構１４０の昇降動作をガイドする。
【０１２５】
そして、第２の移動体２４１には、第１のカム溝２５８に対応して、これら第１のカム溝２５８に対して所定角度傾斜して第２のカム孔２５９が設けられている。この第２のカム孔２５９には、第３の昇降ガイド突起１８８が係合される。このような第２の移動体２４１は、駆動モータ６１が駆動されることで、伝達機構６２及び連結ギヤ６３を介して図２８中矢印Ｘ5又は矢印Ｘ6方向に移動される。
【０１２６】
このような昇降機構は、駆動モータ６１が駆動され、伝達機構６２を介して連結ギヤ６３が回転されることで、ディスクトレイ３の搬送方向と同じ方向に移動される。詳しくは、第１の移動体６４が連結ギヤ６３が一方向に回転され図２８中矢印Ｘ5方向に移動されると、第２の移動体２４１は、第１の移動体６４の移動方向とは反対方向の矢印Ｘ6方向に移動されることになる。また、これとは反対に、第１の移動体６４が連結ギヤ６３が他方向に回転され図２８中矢印Ｘ6方向に移動されると、第２の移動体２４１は、第１の移動体６４の移動方向とは反対方向の矢印Ｘ5方向に移動されることになる。この時、光ディスク再生機構１４０は、第１の昇降ガイド突起１７５、第２の昇降ガイド突起１８０及び第３の昇降ガイド突起１８８が第２のカム孔２４８、２４９、２５９に従って昇降される。そして、光ディスク再生機構１４０は、利用者により選択されたディスクトレイ３の番地に対応する位置まで昇降移動される。
【０１２７】
また、昇降機構には、図２８に示すように、シャーシ６０の再生部５２内方の第１及び第２の側壁２４２、２５６と隣り合う第３の側壁２６３に２つ設けられる第１の位置決め機構２６１ａ、２６１ｂと、第２の側壁２５６に設けられる第２の位置決め機構２６２とを備える。第１及び第２の位置決め機構２６１ａ、２６１ｂ、２６２は、再生部５２における光ディスク再生機構１４０の位置決めを行う。第１の位置決め機構２６１ａは、光ディスク再生機構１４０の第１のスライダ１６１側の第１の位置規制突起１６５に対応して設けられ、第１の位置決め機構２６１ｂは、第１のスライダ１６１側の第２の位置規制突起１７０に対応して設けられている。また、第２の位置決め機構２６２は、光ディスク再生機構１４０の第３のスライダ１６３側に設けられる第３の位置規制突起１９２に対応して設けられている。
【０１２８】
第１の位置決め機構２６１ａ、２６１ｂは、図２８及び図２９に示すように、第３の側壁２６３ａに孔部が穿設されて構成され、光ディスク再生機構１４０の昇降移動する方向と同方向に設けられる第１の昇降ガイド部２６４ａ、２６４ｂと、光ディスク再生機構１４０の昇降移動方向とは直交する方向に設けられる第１のスライドガイド部２６５ａ、２６５ｂと、第１のスライドガイド部２６５ａ、２６５ｂより上方向に向かって設けられる第１の位置決め凹部２６６ａ、２６６ｂとから構成される。そして、第１のスライドガイド部２６５ａ、２６５ｂ及び第１の位置決め凹部２６６ａ、２６６ｂは、ディスクトレイ収納装置１に収納可能な枚数に対応して設けられている。
【０１２９】
第１の昇降ガイド部２６４ａ、２６４ｂは、図２９に示すように、光ディスク再生機構１４０の昇降移動の際、第１及び第２の位置規制突起１６５、１７０の通路であり、光ディスク再生機構１４０の昇降移動領域に対応して設けられている。第１のスライドガイド部２６５ａ、２６５ｂは、ディスクトレイ３の搬送方向と直交する方向に向かって光ディスク再生機構１４０が光ディスク２をクランプする際に第１のスライダ１６１が図２４中矢印Ｘ23方向に移動する領域に対応して設けられている。第１の位置決め凹部２６６ａ、２６６ｂは、略Ｖ字状に設けられ、第１及び第２の位置規制突起１６５、１７０が突き当てられた際に、第１及び第２の位置規制突起１６５、１７０の周縁２点が突き当てられるように形成されている。
【０１３０】
第２の位置決め機構２６２は、第２の側壁２５６に孔部が穿設されて構成され、光ディスク再生機構１４０の昇降移動する方向と同方向に設けられる第２の昇降ガイド部２６７と、光ディスク再生機構１４０の昇降移動方向とは直交する方向でディスクトレイ３の排出方向である図２８中矢印Ｘ6方向に向かって設けられる第２のスライドガイド部２６８と、第２のスライドガイド部２６８より上方向に向かって設けられる第２の位置決め凹部２６９とから構成される。そして、第２のスライドガイド部２６８及び第２の位置決め凹部２６９は、ディスクトレイ収納装置１に収納可能な枚数に対応して設けられている。
【０１３１】
第２の昇降ガイド部２６７は、図２９に示すように、光ディスク再生機構１４０の昇降移動の際、第３の位置規制突起１９２の通路であり、光ディスク再生機構１４０の昇降移動領域に対応して設けられている。第２のスライドガイド部２６８は、ディスクトレイ３の搬送方向と同じくして光ディスク再生機構１４０が光ディスク２をクランプする際に第３のスライダ１６３が図２４中矢印Ｘ25方向に移動する領域に対応して設けられている。第２の位置決め凹部２６９は、略Ｖ字状に設けられ、第３の位置規制突起１９２が突き当てられた際に、第３の位置規制突起１９２の周縁２点が突き当てられるように形成されている。
【０１３２】
このように構成される光ディスク再生機構１４０の昇降機構は、駆動モータ６１が駆動され連結ギヤ６３を一方向に回転させると、第１の移動体６４が図２８中矢印Ｘ5方向に移動され、第２の移動体２４１が同図矢印Ｘ6方向に移動されると、光ディスク再生機構１４０を下方向に移動させる。また、昇降機構は、駆動モータ６１が駆動され連結ギヤ６３を他方向に回転させると、第１の移動体６４が図２８中矢印Ｘ6方向に移動され、第２の移動体２４１が同図矢印Ｘ5方向に移動されると、光ディスク再生機構１４０を上方向に移動させる。これにより、第１の位置規制突起１６５、第２の位置規制突起１７０及び第３の位置規制突起１９２は、第１及び第２の昇降ガイド部２６４ａ、２６４ｂ、２６７を図２８中上下に移動する。このように光ディスク再生機構１４０は、昇降機構により、所定のディスクトレイ３の番地に対応する位置まで昇降移動される。
【０１３３】
そして、光ディスク再生機構１４０は、所定のディスクトレイ３を収納位置から再生位置に引き込み、光ディスク２をクランプする動作が開始されると、上述したとおり第１のスライダ１６１が矢印Ｘ20方向にスライドされ、これにリンクされた第３のスライダ１６３も矢印Ｘ22方向にスライドされることになる。すると、図２９に示すように、第１のスライダ１６１に設けられた第１の位置規制突起１６５及び第２の位置規制突起１７０は、第１の昇降ガイド部２６４ａ、２６４ｂから第１のスライドガイド部２６５ａ、２６５ｂの端部に突き当てられるまで移動される。同様に、第３のスライダ１６３に設けられた第３の位置規制突起１９２についても、第２の昇降ガイド部２６７から第２のスライドガイド部２６８の端部に突き当てられるまで移動される。
【０１３４】
その後、昇降機構は、第１の移動体６４を図２８中矢印Ｘ6方向に移動させ、第２の移動体２４１を同図矢印Ｘ6方向に移動させ、光ディスク再生機構１４０を上方向に移動させる。これに伴い、第１の位置規制突起１６５、第２の位置規制突起１７０及び第３の位置規制突起１９２は、第１及び第２のスライドガイド部２６５ａ、２６５ｂから第１及び第２の位置決め凹部２６６ａ、２６６ｂ、２６９に突き当てられることになる。これにより、光ディスク再生機構１４０は、所定のディスクトレイ３の番地に対応する位置に位置決めがなされる。そしてこの状態で、光ディスク再生機構１４０は、光ディスク２を回転操作し情報信号の読み出しを行う。
【０１３５】
このような昇降機構は、図２９に示すように、第１の位置規制突起１６５、第２の位置規制突起１７０、及び第３の位置規制突起１９２が第１及び第２の位置決め凹部２６６ａ、２６６ｂ、２６９に２点で突き当てられることになり正確に位置決めを行うことができる。すなわち、昇降機構は、再生部５２において、第１及び第２の位置規制突起１６５、１７０の２点が第１の位置決め凹部２６６ａ、２６６ｂに突き当てられることで図２８中Ｘ軸方向の位置決めが行われ、第３の位置規制突起１９２が第２の位置決め凹部２６９に突き当てられることで図２８中Ｙ軸方向の位置決めされる。また、昇降機構は、第１の位置規制突起１６５、第２の位置規制突起１７０及び第３の位置規制突起１９２が第１及び第２の位置規制凹部２６６ａ、２６６ｂ、２６９の上方に向かって突き当てられることで、図２８中Ｚ軸方向の位置決めがされる。したがって、このような昇降機構によれば、自動車走行中の振動のように大きな振動がディスク再生装置５０に加えられた場合にも、光ディスク再生機構１４０ががたつくことが防止でき、このがたつきが回転操作中の光ディスクの面ぶれを引き起こすことも防止できる。
【０１３６】
なお、以上詳述した第１及び第２の位置決め機構２６１ａ、２６１ｂ、２６２は、少なくとも隣り合う側面に１つずつ設ければ良く、第１の側面に設けても良いのは勿論であり、また、位置決め機構の数もこれに限定されるものではない。
【０１３７】
以上、本発明について、ディスク再生装置５０を用いて詳細に説明したが、本発明は、これに限定されるものではなく、ディスク記録及び／又は再生装置に適用することができる。また、本発明は、以上説明したような車載用のディスク再生装置に限定されるものでもない。
【図面の簡単な説明】
【０１３８】
【図１】ディスクトレイ収納装置の外観斜視図である。
【図２】ディスクトレイを表側から見た全体斜視図である。
【図３】ディスクトレイを裏面から見た全体斜視図である。
【図４】トレイ収納体の内壁に設けられるトレイガイド部を説明するための透視斜視図である。
【図５】ディスクトレイ及びトレイガイド部の要部平面図である。
【図６】図５に示すＡ−Ａ断面図であり、詳しくは、トレイガイド部とこれに嵌合されたガイドレール部の断面図である。
【図７】ディスクトレイの第１の突出部と第２の突出部が当接された状態を説明するための図である。
【図８】再生位置にある光ディスクとディスクトレイの第２の突出部との関係を説明するための平面図である。
【図９】トレイ収納体からのディスクトレイの取り外し操作を説明するための平面図である。
【図１０】ディスク再生装置とディスクトレイ収納装置の外観斜視図である。
【図１１】ディスクトレイ収納装置の着脱機構を説明するためディスク再生装置のシャーシを底面側から見た面図である。
【図１２】ディスク再生装置のシャーシ天井に設けられたディスクトレイ収納装置の排出機構を説明するための平面図である。
【図１３】ディスクトレイ収納装置を他方の主面側から見た斜視図である。
【図１４】搬送機構の分解斜視図である。
【図１５】搬送機構がディスクトレイを収納位置から再生位置へ引き込みを開始する時を示す平面図である。
【図１６】搬送機構がディスクトレイを再生位置に引き込んだ状態を示す平面図である。
【図１７】搬送機構がディスクトレイを再生位置から収納位置に押し出した第１の状態を示す係合部材の周囲の要部平面図である。
【図１８】搬送機構がディスクトレイを再生位置から収納位置に押し出した第２の状態を示す係合部材の周囲の要部平面図である。
【図１９】再生位置におけるディスクトレイの位置決めを説明するために用いる搬送機構を概念的に示した平面図である。
【図２０】光ディスク再生機構の分解斜視図である。
【図２１】第１のスライダと第３のスライダとを接続するリンク機構の分解斜視図である。
【図２２】光ディスクがクランプされていない状態において、（Ａ）は、第１のスライダ側から見た光ディスク再生機構の側面図であり、（Ｂ）は、第２のスライダ側から見た光ディスク再生機構の側面図であり、（Ｃ）は、第３のスライダ側から見た光ディスク再生機構の側面図であり、（Ｄ）は、正面側から見た光ディスク再生機構の側面図である。
【図２３】光ディスクがクランプされた状態において、（Ａ）は、第１のスライダ側から見た光ディスク再生機構の側面図であり、（Ｂ）は、第２のスライダ側から見た光ディスク再生機構の側面図であり、（Ｃ）は、第３のスライダ側から見た光ディスク再生機構の側面図であり、（Ｄ）は、正面側から見た光ディスク再生機構の側面図である。
【図２４】光ディスクのディスク規制機構を説明するための分解斜視図である。
【図２５】ディスクトレイがディスク規制機構に進入する第１の位置を示す平面図である。
【図２６】光ディスクの再生時（第３の位置）におけるディスク規制機構の状態を示す平面図である。
【図２７】光ディスク規制部材に規制される光ディスク及びディスクトレイの状態を示す図であり、さらに詳しくは、（Ａ）は、第１の位置において、ディスクトレイがディスク規制機構にさしかかっていない状態を示す側面図であり、（Ｂ）は、第１の位置において、光ディスク及びディスクトレイが規制部に狭持された状態を示す側面図であり、（Ｃ）は、第２の位置における規制部の側面図であり、（Ｄ）は、第３の位置における規制部の側面図であり、（Ｅ）は、光ディスクがクランプされた際の規制部の側面図である。
【図２８】光ディスク再生機構の昇降機構を説明するために用いるディスク再生装置の全体斜視図である。
【図２９】光ディスク再生機構のシャーシの設けられる位置規制部を説明するための図である。
【符号の説明】
【０１３９】
１ ディスクトレイ収納装置、２ 光ディスク、３ ディスクトレイ、４ ディスクトレイ収納部、１１ ディスク収納凹部、１３ 底面開口部、１５ ガイドレール部、１６ 脱落防止部、１７ 間隙保障突起、１８ 引き出し操作部、１９ 切欠部、２１ 係止部、２３ 第１の突出部、２４ 第２の突出部、３１外筐体、３２ トレイガイド部、３５ トレイ挿脱用開口部、３６ 第１の側面、３７ 第２の側面、３８ 引き出し操作用切欠部、４２ 第１の支持部、４３第２の支持部、４４ ディスク規制部、４６係合部、５０ ディスク再生装置、５１ 装填部、５２ 再生部、５３ 着脱用開口部、６１ 駆動モータ、６４第１の移動体、６９ ロックレバー、７１ 検出レバー、７２ ロックピン、７４ 収縮バネ、７９ 排出機構、１０１ 上側シャーシ、１０２ ローディング用モータ、１０３ 係合部材、１０５ 第１の回動レバー、１０６ 第２の回動レバー、１０９ カムギヤ、１２３ 弾性体、１２４ 支持突起、１２５ 線状部材、１３１ 位置規制突起、１３２ 回動規制突起、１３６ 位置規制突起、１４０ 光ディスク再生機構、１４１ 下側シャーシ１４１、１４２ ディスクテーブル、１４７ 光ピックアップ、１５３ ディスククランパ、１５４ クランパ支持部材、１６１ 第１のスライダ、１６２ 第２のスライダ、１６３第３のスライダ、１６５ 第１の位置規制突起、１７０ 第２の位置規制突起、１７５ 第１の昇降ガイド突起、１７８ 回動規制軸、１８０ 第２の昇降ガイド軸、１８８ 第３の昇降ガイド軸、１９２ 第３の位置規制突起、２２０ ディスク規制機構、２２１ 光ディスク規制部材、２２２ 規制部、２３１ 係合突起、２３２ 弾性体、２３４ 係止ピン、２４１ 第２の移動体、２４５、２４６、２４７ 第１のカム孔、２４８、２４９ 第２のカム孔、２５８ 第１のカム孔、２５９ 第２のカム孔、２６１ 第１の位置決め機構、２６２ 第２の位置決め機構、２６４ 第１の昇降ガイド部、２６５ 第１のスライドガイド部、２６６ 第１の位置決め凹部、２６７第２の昇降ガイド部、２６８ 第２のスライドガイド部、２６９ 第２の位置決め凹部
【図１】
2006139914.tif 000003
【図２】
2006139914.tif 000004
【図３】
2006139914.tif 000005
【図４】
2006139914.tif 000006
【図５】
2006139914.tif 000007
【図６】
2006139914.tif 000008
【図７】
2006139914.tif 000009
【図８】
2006139914.tif 000010
【図９】
2006139914.tif 000011
【図１０】
2006139914.tif 000012
【図１１】
2006139914.tif 000013
【図１２】
2006139914.tif 000014
【図１３】
2006139914.tif 000015
【図１４】
2006139914.tif 000016
【図１５】
2006139914.tif 000017
【図１６】
2006139914.tif 000018
【図１７】
2006139914.tif 000019
【図１８】
2006139914.tif 000020
【図１９】
2006139914.tif 000021
【図２０】
2006139914.tif 000022
【図２１】
2006139914.tif 000023
【図２２】
2006139914.tif 000024
【図２３】
2006139914.tif 000025
【図２４】
2006139914.tif 000026
【図２５】
2006139914.tif 000027
【図２６】
2006139914.tif 000028
【図２７】
2006139914.tif 000029
【図２８】
2006139914.tif 000030
【図２９】
2006139914.tif 000031